(57)【要約】【課題】  外形の小型化と配線基板への装着性の向上とを両立することのできる巻線部品を提供する。【解決手段】  ボビン５０の底板５１の底面において、端子ピン６２が植設されていないピン穴６０に、端子ピン６２よりも短尺なダミーピン６３を植設することにより、インダクタＬ１の外形の小型化と配線基板２１上への装着性の向上とを両立する。すなわち、底板５１の底面にダミーピン６３を植設し、このダミーピン６３を用いてインダクタＬ１を配線基板２１上に支持する構成とすることにより、支持用突起を底板５１の底面から省略することでインダクタＬ１の小型化を実現する場合にも、装着作業時に、インダクタＬ１を配線基板２１上に安定的に載置することができる。【選択図】  図１０
2006093381.tif 000002
【特許請求の範囲】
【請求項１】
ボビン支柱が立設する底板の底面に複数のピン穴が穿設されたボビンと；
前記ピン穴に選択的に植設され、前記ボビン支柱に巻装する巻線が電気的に接続する端子ピンと；
前記端子ピンが植設されていない前記ピン穴に植設され、前記底板の底面からの突出長が前記端子ピンよりも短尺なダミーピンと；を備えたことを特徴とする巻線部品。
【請求項２】
前記ダミーピンの突出長が、前記ボビンに取着されるコアの前記底板の底面から突出する長さと略等しいことを特徴とする請求項１記載の巻線部品。
【請求項３】
前記ダミーピンを、前記コアの両側に、ぞれぞれ少なくとも１本配置したことを特徴とする請求項２記載の巻線部品。
【請求項４】
請求項１ないし３いずれか一記載の巻線部品を、当該巻線部品のダミーピンを基板表面に当接させた状態で配線基板に実装したことを特徴とする回路ユニット。
【請求項５】
請求項４記載の回路ユニットを、蛍光ランプの点灯回路ユニットとして一体に備えたことを特徴とする電球形蛍光ランプ。
【発明の詳細な説明】
【技術分野】
【０００１】
本発明は、特に、狭隘な配線基板上に好適に実装される巻線部品、この巻線部品を用いた回路ユニットおよび電球形蛍光ランプに関する。
【背景技術】
【０００２】
電球形蛍光ランプは、コンパクトな蛍光ランプ（放電灯）とその点灯回路ユニットを一体化した構成を備え、一般照明用白熱電球のように小型で、片口金構造を有していながら蛍光ランプの特徴である高いランプ効率と長寿命とを併せて有する光源であるために、白熱電球に代えて多用されている。
【０００３】
電球形蛍光ランプは、コンパクトな形に形成された蛍光ランプと、蛍光ランプを点灯する点灯回路ユニットと、点灯回路ユニットを内部に収納するカバーと、カバーの基端に配設された口金とを具備していて、さらに蛍光ランプを包囲するグローブをカバーに固定して備えている構成のものと、グローブを備えていない構成のものとがある。また、グローブの形状としては、Ａ形バルブ状のＡ形グローブ、Ｇ形バルブ状のＧ形グローブなどがある。
【０００４】
Ａ形グローブは、近時一層小型化された電球形蛍光ランプ（例えば、本出願人の製造販売に係る「ネオボールＺ  Ａ形」）に採用されている。この電球形蛍光ランプは、例えば、定格消費電力１３Ｗで、外径６０ｍｍ、全長１０９ｍｍである。これは、一般照明用の６０Ｗ白熱電球の最大径６０ｍｍ、全長１０９ｍｍに相当するサイズ及び外観であり、そのため白熱電球用照明器具への適合率が著しく向上している。
【０００５】
ところで、白熱電球用照明器具への適合率を高くするには、電球形蛍光ランプの外径および全長を白熱電球になるべく接近させるだけでなく、カバーの部分も小型化すなわち小径化することが重要である。このカバーの小型化を実現するためには、内部に収納される点灯回路ユニットを小型化する必要があり、点灯回路ユニットの小型化には、点灯回路ユニットの配線基板で大きなスペースを占有するインダクタやトランス等の各種巻線部品を小型化することが有効となる。
【０００６】
しかしながら、一般に、巻線部品は、各種電気回路等に対する汎用性の観点から、巻線が電気的に接続する端子ピンを、ボビン底面の任意の位置で植設可能な構成とすることが望ましく、このためには、ボビンの底板の底面に、端子ピンを適宜に植設可能なピン穴を可能な限り多く設けることが好ましい。さらに、配線基板の設計上の要請、或いは、組立上の要請等の観点から、ボビン底面に配設される各ピン穴、ある程度規格化されたピッチ（例えば、他の電子部品等の端子間のピッチと同等に規格化されたピッチ）に設定されることが好ましい。すなわち、巻線部品においては、ボビン底面に配設されるピン穴の数、及び、そのピッチを犠牲にすることなく、外形の小型化を実現する必要がある。
【０００７】
これらに対処し、例えば特許文献１には、ボビンの底板底面の四隅からそれぞれ配線基板に当接可能に垂設される支持用突起を省略することで、巻線部品の外形の小型化を実現する技術が開示されている。
【特許文献１】特開２００２−２８９３８９号公報
【発明の開示】
【発明が解決しようとする課題】
【０００８】
しかしながら、巻線部品においては、一般に、ボビンに固設するコアの一部が底面から突出するため、上述の特許文献１に開示された技術のように支持用突起を省略した場合、配線基板上への巻線部品の装着作業時に、ボビンの底面から突出するコアを支点として巻線部品が配線基板上でぐらつ場合がある。そして、このように不安定な状態で巻線部品の装着作業を行った場合、端子ピンが配線基板に対して十分に半田付け等されず、半田接続不良となって回路ユニット等の歩留まりを低下させる等の虞がある。
【０００９】
本発明は上記事情に鑑みてなされたもので、外形の小型化と配線基板への装着性の向上とを両立することのできる巻線部品、この巻線部品を用いた回路ユニット、及び、電球形蛍光ランプを提供することを目的とする。
【課題を解決するための手段】
【００１０】
請求項１の発明に係る巻線部品は、ボビン支柱が立設する底板の底面に複数のピン穴が穿設されたボビンと；前記ピン穴に選択的に植設され、前記ボビン支柱に巻装する巻線が電気的に接続する端子ピンと；前記端子ピンが植設されていない前記ピン穴に植設され、前記底板の底面からの突出長が前記端子ピンよりも短尺なダミーピンと；を備えたことを特徴とする。
【００１１】
また、請求項２の発明に係る巻線部品は、請求項１記載の発明において、前記ダミーピンの突出長が、前記ボビンに取着されるコアの前記底板の底面から突出する長さと略等しいことを特徴とする。
【００１２】
また、請求項３の発明に係る巻線部品は、請求項２記載の発明において、前記ダミーピンを、前記コアの両側に、それぞれ少なくとも１本配置したことを特徴とする。
【００１３】
また、請求項４の発明に係る回路ユニットは、請求項１ないし３いずれか一記載の巻線部品を、当該巻線部品のダミーピンを基板表面に当接させた状態で配線基板に実装したことを特徴とする。
【００１４】
また、請求項５の発明に係る電球形蛍光ランプは、請求項４記載の回路ユニットを、蛍光ランプの点灯回路ユニットとして一体に備えたことを特徴とする。
【発明の効果】
【００１５】
請求項１の発明によれば、短尺なダミーピンによってボビンを安定的に支持した状態で半田付け作業を行うことができるので、外形の小型化と配線基板への装着性の向上とを両立することのできる巻線部品を実現することができる。
【００１６】
請求項２の発明によれば、ダミーピンが、コアの底面とともにボビンを安定的に支持するので、巻線部品の支持の安定性が向上する。
【００１７】
請求項３の発明によれば、コアの両側にそれぞれ少なくとも１本配置したダミーピンによって、コアの底面を支点とした巻線部品のぐらつきを抑えることができる。
【００１８】
請求項４の発明によれば、請求項１ないし３いずれか一の効果を備えた巻線部品を使用した回路ユニットを提供することができる。
【００１９】
請求項５の発明によれば、請求項４の回路ユニットを使用した電球形蛍光ランプを提供することができる。
【発明を実施するための最良の形態】
【００２０】
以下、図面を参照して本発明の形態を説明する。図面は本発明の一形態に係わり、図１は電球形蛍光ランプの一部断面正面図、図２は電球形蛍光ランプのグローブを透視した平面図、図３は電球形蛍光ランプの要部を示す分解斜視図、図４は点灯回路ユニットの概略構成を示す平面図、図５は点灯回路ユニットの回路図、図６はボビンとコアを斜め下側から見た分解斜視図、図７はインダクタの側面図、図８はインダクタの底面図、図９は図７のＩ−Ｉ線に沿う断面図、図１０は配線基板上に実装したインダクタの要部断面図である。
【００２１】
図１において、符号１は電球形蛍光ランプを示し、この電球形蛍光ランプ１は、蛍光ランプ１０と、この蛍光ランプ１０を付勢する回路ユニットとしての点灯回路ユニット２０と、蛍光ランプ１０及び点灯回路ユニット２０を収容する外囲器３０と、白熱電球等のソケットに装着可能な口金４０とを有する。
【００２２】
蛍光ランプ１０は、内部に屈曲した一連の放電路を備えた透光性放電容器１１と、この透光性放電容器１１の両端に封装された一対の電極１２とを有する。ここで、図１乃至図３に示すように、本形態において、透光性放電容器１１は、例えば、両脚部が同心円上に位置するよう等配された４本のＵ字状をなすガラス管１１ａを有し、これらガラス管１１ａの互いに隣接する脚部が連結管１１ｂで連結されることにより、要部が構成されている。なお、この透光性放電容器１１の内面には蛍光体が塗布されており、さらに、透光性放電容器１１の内部には適量の水銀及び希ガスを含むイオン化媒体が封入されている。
【００２３】
図４に示すように、点灯回路ユニット２０は、例えば、略円盤状の配線基板２１と、この配線基板２１上に実装されるコンデンサＣ、巻線部品としてのインダクタＬ等の回路部品２２を有し、これらにより、例えば図５に示す点灯回路ユニット（後述する）の要部を構成する。
【００２４】
外囲器３０は、透光性グローブ３１と、この透光性グローブ３１の基部に連設する遮光性基体（カバー）３２と、透光性グローブ３１と遮光性基体３２との間に介装される仕切体３３とを有して要部が構成されている。
【００２５】
透光性グローブ３１は、内面に光拡散性被膜を形成したガラス製の有頭筒状をなしている。遮光性基体３２は、例えば、白色系の合成樹脂を成形してなるカップ状をなし、その先端開口部には、透光性グローブ３１の基部開口部が、シリコーン接着剤を介して固設されている。また、仕切体３３は、例えば、白色系の合成樹脂を成形してなり、遮光性基体３２の先端開口部に、シリコーン接着剤を介して透光性グローブ３１と一体的に固定されている。これにより、仕切体３３は、外囲器３０の内部を発光室３４と回路収納室３５とに区画する。
【００２６】
また、仕切体３３には複数の蛍光ランプ支持孔３３ａが開口されており（図３参照）、蛍光ランプ支持孔３３ａに挿入された蛍光ランプ１０の両端部がシリコーン接着剤を介して固定されている。これにより、仕切体３３は発光室３４内に蛍光ランプ１０を保持する。また、回路収納室３５内において、点灯回路ユニット２０は、仕切体３３に装着されることにより、保持されている。ここで、図４に示すように、配線基板２１には、高周波出力端として、４本のラッピングピン２５が植設されており、これらラッピングピン２５に、蛍光ランプ１０の一対の電極１２からそれぞれ導出される外部導入線（図示せず）が接続されている。
【００２７】
口金４０は、外囲器３０の遮光性基体３２の基端に装着されている。この口金４０には、配線基板２１の交流入力端子から導出される直接絶縁被覆導線２６が接続され、これにより、口金４０は、配線基板２１に電気的に接続される。
【００２８】
次に、図５を参照して、点灯回路ユニットの回路構成の一例について説明する。  
図において、ＡＳは低周波交流電源、ｆは過電流ヒューズ、ＮＦはノイズフィルタ、ＲＤは整流化直流電源、ＨＦＩは高周波インバータ、ＬＣは負荷回路、１０は蛍光ランプである。
【００２９】
低周波交流電源ＡＳは、商用１００Ｖ交流電源からなる。
【００３０】
過電流ヒューズｆは、配線基板２１に一体に形成したパターンヒューズからなり、過電流が流れた際に溶断して、点灯回路ユニットが焼損しないように保護する。
【００３１】
ノイズフィルタＮＦは、低周波交流電源ＡＳと整流化直流電源ＲＤとの間に介在して、高周波インバータＨＦＩにおけるスイッチングによって発生する高周波ノイズを低周波交流電源ＡＳ側に流出しないように除去する。
【００３２】
整流化直流電源ＲＤは、ブリッジ形整流回路ＢＲＣおよび平滑コンデンサＣ１からなり、低周波交流電圧を平滑化直流電源電圧に変換する。
【００３３】
高周波インバータＨＦＩは、第１のスイッチング手段Ｑ１，第２のスイッチング手段Ｑ２、ゲートドライブ回路ＧＤＣおよび起動回路ＳＴを備えてハーフブリッジ形インバータを構成している。
【００３４】
第１のスイッチング手段Ｑ１は、Ｎチャンネル形ＭＯＳＦＥＴからなり、そのドレインが整流化直流電源ＲＤの正極に接続し、ソースが第２のスイッチング手段Ｑ２のソースに接続している。
【００３５】
第２のスイッチング手段Ｑ２は、Ｐチャンネル形ＭＯＳＦＥＴからなり、そのドレインが整流化直流電源ＲＤの負極に接続している。
【００３６】
ゲートドライブ回路ＧＤＣは、帰還手段ＦＢ、ＬＣ共振回路ＲＣ、ゲート電圧出力手段ＧＶＯおよびゲート保護回路ＧＰから構成されている。
【００３７】
帰還手段ＦＢは、限流インダクタＬ２に磁気結合している補助巻線により構成されている。
【００３８】
ＬＣ共振回路ＲＣは、インダクタＬ１およびコンデンサＣ２を帰還手段ＦＢに対して直列接続することにより構成されている。
【００３９】
ゲート電圧出力手段ＧＶＯは、ＬＣ共振回路ＲＣのコンデンサＣ２の両端に現れる共振電圧をコンデンサＣ３を介して取り出すように構成されている。そして、コンデンサＣ３の一端は、コンデンサＣ２とインダクタＬ１との接続点に接続し、コンデンサＣ３の他端は第１および第２のスイッチング手段Ｑ１、Ｑ２のそれぞれのゲートに接続している。
【００４０】
さらに、コンデンサＣ２の他端が第１および第２のスイッチング手段Ｑ１、Ｑ２のソースに接続している。
【００４１】
ゲート保護回路ＧＰは、一対のツェナーダイオードを逆直列接続してなる回路をゲート電圧出力手段ＧＶＯに並列接続して構成され、過大なゲート電圧を所要値にクランプする。
【００４２】
ゲートドライブ回路ＧＤＣは、以上のような回路構成から構成されているが、コンデンサＣ２の両端に現れた共振電圧は、ゲート保護回路により一定にクランプされてゲート電圧出力手段ＧＤＯを介して第１および第２のスイッチング手段Ｑ１、Ｑ２のゲート・ソース間に印加され、スイッチング手段Ｑ１、Ｑ２を交互にオンする。
【００４３】
起動回路ＳＴは、抵抗器Ｒ１、Ｒ２、Ｒ３からなる。
【００４４】
抵抗器Ｒ１は、その一端が整流化直流電源ＲＤの正極に接続し、他端が第１のスイッチング手段Ｑ１のゲートに接続しているとともに、抵抗器Ｒ２の一端およびゲートドライブ回路ＧＤＣのゲート電圧出力手段ＧＶＯのゲート側の出力端すなわちコンデンサＣ３の他端に接続している。
【００４５】
抵抗器Ｒ２の他端は、ＬＣ共振回路ＲＣのインダクタＬ１および帰還手段ＦＢの接続点に接続している。
【００４６】
抵抗器Ｒ３は、その一端が第１および第２のスイッチング手段Ｑ１、Ｑ２の接続点すなわちそれぞれのソースおよびゲート電圧出力手段ＧＶＯのソース側の出力端に接続し、他端が整流化直流電源ＲＤの負極に接続している。
【００４７】
負荷回路ＬＣは、限流インダクタＬ２、直流カットコンデンサＣ４および一対の共振コンデンサＣ５Ａ、Ｃ５Ｂの直列回路に加えて、共振コンデンサＣ５Ａ、Ｃ５Ｂに並列的に接続した蛍光ランプ１０によって構成されている。
【００４８】
一方の共振コンデンサＣ５Ａは、蛍光ランプ１０の一対の電極１２のフィラメントを介して負荷回路ＬＣに接続している。
【００４９】
これに対して、他方の共振コンデンサＣ５Ｂは、フィラメントを介さないで蛍光ランプ１０に並列接続することにより、直接負荷回路ＬＣに接続されている。
【００５０】
そうして、一対の共振コンデンサＣ５ＡとＣ５Ｂとは、負荷回路ＬＣに対しては、互いに並列接続した合成容量に対して、限流インダクタＬ２と直列共振するように構成されている。
【００５１】
次に、配線基板２１に回路部品２２として実装されるインダクタ（巻線部品）Ｌ１の構成について、図６乃至図１０を参照して説明する。  
図６に示すように、インダクタＬ１を構成するボビン５０は、平面略矩形の平板形状をなす底板５１と、底板５１の上面から立設するボビン支柱５２と、ボビン支柱５２の頂部で底板５１に対向する鍔部５３とが、一体的に樹脂成形されて要部が構成されている。
【００５２】
ボビン支柱５２にはコイルを構成する巻線５５が巻装されており（図９参照）、さらに、ボビン支柱５２の内部には、鍔部５３の頂面から底板５１の底面にかけて上下に貫通する貫通孔５６が設けられている（図６，９参照）。
【００５３】
また、鍔部５３及び底板５１には、貫通孔５６に連続する溝部５７が設けられており、これら貫通孔５６及び溝部５７に沿って、平面略”Ｅ”字形状をなす一対のコア半体５９（図６参照）が上下方向からそれぞれボビン５０に装着されることにより、コイルの磁芯となるコア５８が構成されている（図７〜図１０参照）。
【００５４】
また、底板５１の底面には、コア５８を中心として対称な各縁辺部に沿って、複数（例えば、片側４個）のピン穴６０がそれぞれ穿設されている。これらピン穴６０は、予め設定されたピッチ（例えば、軸間２．２ｍｍの等ピッチ）で底面上に穿設されるもので、底板５１上において、互いに隣接するピン穴６０の間には、ボビン支柱５２に巻装された巻線５５の一部を底面側にガイドするための切欠溝６１が設けられている。
【００５５】
各ピン穴６０は、端子ピン６２を選択的に植設可能な構成となっており、各ピン穴６０のうち、インダクタＬ１を実装する配線基板２１の回路構成等に応じて選択された一対のピン穴６０には、巻線５５に電気的に接続する各端子ピン６２がそれぞれ植設されている。
【００５６】
また、端子ピン６２が植設されていないピン穴６０のうち、所定に選択された各ピン穴６０には、端子ピン６２と同径であって、当該端子ピン６２よりも短尺なダミーピン６３がそれぞれ植設されている。この場合、図７，９，１０に示すように、ダミーピン６３が底板５１の底面からの突出する量（長さ）は、ボビン５０に取着されるコア５８の底面が底板５１の底面から突出する量（長さ）と略等しいことが望ましい。なぜなら、このようにダミーピン６３の長さを設定することで、インダクタＬ１の配線基板への実装時に、ダミーピン６３が、コア５８の底面とともに基板表面に当接されてボビン５０を安定的に支持するからである。また、ダミーピン６３が植設される本数は、特に限定されるものではないが、例えば図８に示すように、コア５８の両側に、それぞれ少なくとも１本づつ植設されていることが望ましい。なぜなら、このようにダミーピン６３を植設することで、インダクタＬ１の配線基板への実装時に、ダミーピン６３が、コア５８の底面を支点としたぐらつきを抑制するからである。なお、ダミーピン６３は、端子ピン６２と等長に切り出されたピン部材をピン穴６０に植設した後で所定長さに切断したものであってもよく、また、予め所定長さに切り出されたピン部材をピン穴６０に植設したものであっても良い。
【００５７】
このように構成されたインダクタＬ１は、例えば図１０に示すように、各ダミーピン６３の先端が基板表面に当接された状態で、配線基板２１上に実装される。すなわち、インダクタＬ１は、装着作業時に、基板表面にダミーピン６３の先端が当接された状態で配線基板２１上に載置され、配線基板２１を貫通する端子ピン６２の先端部が半田部６５によって半田付けされることで、配線基板２１上に保持される。
【００５８】
このような形態によれば、ボビン５０の底板５１の底面において、端子ピン６２が植設されていないピン穴６０に、端子ピン６２よりも短尺なダミーピン６３を植設することにより、インダクタＬ１の外形の小型化と配線基板２１上への装着性の向上とを両立することができる。すなわち、底板５１の底面にダミーピン６３を植設し、このダミーピン６３を用いてインダクタＬ１を配線基板２１上に支持する構成とすることにより、支持用突起を底板５１の底面から省略することによってインダクタＬ１の小型化を図る場合にも、装着作業時に、インダクタＬ１を配線基板２１上に安定的に載置することができる。
【００５９】
その際、ダミーピン６３が底板５１の底面からの突出する量を、コア５８が底板５１の底面から突出する量と一致させることにより、インダクタＬ１を配線基板２１上により安定的に載置することができる。さらに、ダミーピン６３を、コア５８の両側に、それぞれ少なくとも１本づつ植設することにより、インダクタＬ１を配線基板２１上により安定的に載置することができる。
【００６０】
そして、このように小型化したインダクタＬ１を配線基板２１上に実装して点灯回路ユニット２０を構成することにより、歩留まりの低下等を招くことなく、小型な点灯回路ユニット２０を実現することができる。さらに、点灯回路ユニット２０の小型化により、電球形蛍光ランプ１の小型化も効果的に実現することができる。
【００６１】
なお、上述の形態においては、巻線部品の一例として、インダクタＬ１の構成について説明したが、本発明はこれに限定されるものではなく、本発明の要旨を逸脱しない範囲内において各種巻線部品に対して適宜適用が可能であることは勿論である。例えば、本形態において、限流インダクタＬ２等のボビンの底面構造を上述のインダクタＬ１と同様の構成とすることも可能である。
【００６２】
また、本発明に係る巻線部品を実装した回路ユニットについても、上述の点灯回路ユニットに限定されるものでないことは勿論である。
【図面の簡単な説明】
【００６３】
【図１】電球形蛍光ランプの一部断面正面図
【図２】電球形蛍光ランプのグローブを透視した平面図
【図３】電球形蛍光ランプの要部を示す分解斜視図
【図４】点灯回路ユニットの概略構成を示す平面図
【図５】点灯回路ユニットの回路図
【図６】ボビンとコアを斜め下側から見た分解斜視図
【図７】インダクタの側面図
【図８】インダクタの底面図
【図９】図７のＩ−Ｉ線に沿う断面図
【図１０】配線基板上に実装したインダクタの要部断面図
【符号の説明】
【００６４】
１…電球形蛍光ランプ、１０…蛍光ランプ、１１…透光性放電容器、１１ａ…ガラス管、１１ｂ…連結管、１２…電極、２０…点灯回路ユニット（回路ユニット）、２１…配線基板、２２…回路部品、２５…ラッピングピン、２６…直接絶縁被覆導線、３０…外囲器、３１…透光性グローブ、３２…遮光性基体、３３…仕切体、３３ａ…蛍光ランプ支持孔、３４…発光室、３５…回路収納室、４０…口金、５０…ボビン、５１…底板、５２…ボビン支柱、５３…鍔部、５５…巻線、５６…貫通孔、５７…溝部、５８…コア、５９…コア半体、６０…ピン穴、６１…切欠溝、６２…端子ピン、６３…ダミーピン、６５…半田部、ＡＳ…低周波交流電源、ＢＲＣ…ブリッジ形整流回路、Ｃ…コンデンサ、Ｃ１…平滑コンデンサ、Ｃ２…コンデンサ、Ｃ３…コンデンサ、Ｃ４…直流カットコンデンサ、Ｃ５Ａ…共振コンデンサ、Ｃ５Ｂ…共振コンデンサ、ＦＢ，ＬＣ…帰還手段、ＧＤＣ…ゲートドライブ回路、ＧＤＯ…ゲート電圧出力手段、ＧＰ…ゲート保護回路、ＧＶＯ…ゲート電圧出力手段、ＨＦＩ…高周波インバータ、Ｌ…インダクタ、Ｌ１…インダクタ（巻線部品）、Ｌ２…限流インダクタ、ＬＣ…直接負荷回路、ＬＣ…負荷回路、ＮＦ…ノイズフィルタ、Ｑ１，Ｑ２…スイッチング手段、Ｒ１，Ｒ２，Ｒ３…抵抗器、ＲＣ…共振回路、ＲＤ…整流化直流電源、ＳＴ…起動回路、ｆ…過電流ヒューズ
代理人    弁理士      伊    藤      進
【図１】
2006093381.tif 000003
【図２】
2006093381.tif 000004
【図３】
2006093381.tif 000005
【図４】
2006093381.tif 000006
【図５】
2006093381.tif 000007
【図６】
2006093381.tif 000008
【図７】
2006093381.tif 000009
【図８】
2006093381.tif 000010
【図９】
2006093381.tif 000011
【図１０】
2006093381.tif 000012